(57)【特許請求の範囲】
【請求項１】
送風機の駆動により空気が通過する処理室と、該処理室の下部に設けられ給水タンクからの給水を一定水位で貯水する貯水室と、この貯水室の貯水に下端を水没させた筒状の回転体と、この回転体の外周に間隔を有して位置し、該回転体と共に駆動モータの駆動で回転しこの回転による遠心力で、押し上げられた水を飛散させてぶつけられる円筒状の多孔体と、この多孔体の外周に位置し該多孔体から飛散される水がぶつかる送風筒と、前記多孔体及び送風筒で水が破砕されることで生成するナノミストと負イオンを室内に放出するものに於いて、前記貯水室の下方には該貯水室内の残水を一旦収容してから排水する排水トレイを備え、この排水トレイは給水タンクを器具本体から抜き取らないと移動出来ないようにロック体にロックされ、排水栓は排水トレイの移動軌跡途中に設けられ、排水トレイが移動することで排水栓を開栓可能とした事を特徴とする空気清浄加湿器。
【発明の詳細な説明】
【技術分野】
【０００１】
この発明は、貯水室に残る残水を安全に排出出来るようにした空気清浄加湿器に関するものである。
【背景技術】
【０００２】
従来よりこの種の加湿装置に於いては、ナノミスト及び負イオンの生成時に、室内空気が飛散する水の中を通過することで、空気中に浮遊している塵や雑菌が水中に混入したり、または水道水中のカルシウムや塩素等のカルキが水中に混在するので、定期的に貯水室の残水を捨てる必要があり、排水専用の排水用タンクを用意するものであった。（例えば、特許文献１参照。）
【先行技術文献】
【特許文献】
【０００３】
【特許文献１】特開平３−１６８５４６号公報
【発明の概要】
【発明が解決しようとする課題】
【０００４】
ところでこの従来のものでは、給水タンク内にまだ水ある状態で、フロートスイッチが誤動作して排水栓を開けた場合、排水用タンクは貯水室内の残水分の容積しかないので、増分が排水用タンクから溢れ出て床面を汚してしまうものであり、又これを防止するには、排水用タンクへの排水時には給水タンクを取り外しておけば良いものであった。
【課題を解決するための手段】
【０００５】
この発明は上記課題を解決するために、特にその構成を、送風機の駆動により空気が通過する処理室と、該処理室の下部に設けられ給水タンクからの給水を一定水位で貯水する貯水室と、この貯水室の貯水に下端を水没させた筒状の回転体と、この回転体の外周に間隔を有して位置し、該回転体と共に駆動モータの駆動で回転しこの回転による遠心力で、押し上げられた水を飛散させてぶつけられる円筒状の多孔体と、この多孔体の外周に位置し該多孔体から飛散される水がぶつかる送風筒と、前記多孔体及び送風筒で水が破砕されることで生成するナノミストと負イオンを室内に放出するものに於いて、前記貯水室の下方には該貯水室内の残水を一旦収容してから排水する排水トレイを備え、この排水トレイは給水タンクを器具本体から抜き取らないと移動出来ないようにロック体にロックされ、排水栓は排水トレイの移動軌跡途中に設けられ、排水トレイが移動することで排水栓を開栓可能としたものである。
【発明の効果】
【０００６】
以上のようにこの発明によれば、給水タンクを器具本体から抜き取らないと排水トレイへの排水が出来ないので、排水トレイが満水となって溢れ出る心配がなく、床面を汚すこともなく常に安心して使用出来るものであり、又排水栓が排水トレイの移動軌跡途中に設けられているので、排水トレイを移動させないと排水栓を開栓出来ず、誤った操作をすることなく確実に排水作業を行うことが出来るものである。
【図面の簡単な説明】
【０００７】
【図１】この発明の一実施形態の空気清浄加湿器の概略構成図。
【図２】同駆動軸を途中で切断したカバー体の平面図。
【図３】同水流阻止手段の斜視図。
【図４】同空気清浄加湿器の排水準備状態を示す概略構成図。
【図５】同空気清浄加湿器の排水状態を示す概略構成図。
【発明を実施するための形態】
【０００８】
次にこの発明の一実施形態の空気清浄加湿器について図面に基づいて説明する。
１は加湿器の器具本体で、中央部には蓋体２に固定され吸引口３から吸引された室内空気を、中央で回転駆動するシロッコファンからなる送風機４まで案内する円筒状の案内筒５が備えられ、この案内筒５には送風機４を覆い該送風機４下方まで垂下した送風筒６が設けられている。
【０００９】
７は前記案内筒５を覆った処理室で、該処理室７の下部には円形椀状の貯水室８が設けられており、この貯水室８には給水タンク９がセットされた定水位室１０が通水路１１を介して連通し、給水タンク９からの給水を落差方式で供給され、常時所定水位の給水を貯水しているものである。
【００１０】
１２は貯水室８下方で該貯水室８を支持する駆動モータで、全周をカバー体１３で覆われ器具本体１の底部を構成する基板１４に固定されており、更にカバー体１３の外周壁には外方へ突出した樋状の流水溝１５を一周形成している。
【００１１】
１６は貯水室８の貯水に下部を水没させ、この貯水室８を貫通して送風機４を回転させる駆動軸１７に軸支された円筒状の回転体で、この回転体１６は中空状で上方に向かって径が徐々に拡大するものであり、又回転体１６は回転することによりこの回転の遠心力で水を押し上げ、上端に形成された複数の飛散口１８から外周に飛散させるものである。
【００１２】
１９は前記回転体１６の上部外周に所定間隔を保持して位置し、該回転体１６と共に回転する円筒状の多孔体で、この回転による遠心力で水及び空気を飛散させ、そして全周壁に形成した多数のスリットや金網やパンチングメタル等からなる多孔部２０を、通過させたり、ぶつけて破砕させることで、水の粒子を微細化してナノミストを生成すると共に、この水の粒子の微細化によるレナード効果で負イオンを発生させるものであり、又多孔部２０を通過した水の粒子は、更に外周の送風筒６の内壁に衝突して微細化されるものである。
【００１３】
２１は貯水室８の貯水中に水没し該貯水を寒さを感じない所定温度、ここでは４０℃前後まで加熱保温する加熱ヒータで、貯水全体を短時間に所定温度まで加熱するために貯水室８より小径の円形とし、貯水室８外壁に取り付けられた貯水の温度センサ２２により、貯水温度が４０℃に達すると制御回路（図示せず）を介して加熱ヒータ２１をＯＦＦしたり、通電ワット数を少なくしこれでも温度上昇した時に初めてＯＦＦし、その後貯水温度が３９℃に低下すると再びＯＮさせるなどの制御を行い、貯水温度を４０℃に保持するようにするものである。
【００１４】
２３は送風筒６や多孔体１９の下端と対向して貯水室８上面を覆った皿状の水流阻止手段で、中央部には回転体１６の挿通穴２４が形成されており、この挿通穴２４から外周に放射状に延びる複数の支持片２５の先端部２５ａによって水面が複数に区画されることで、回転体１６の回転で回転しょうとする水流を阻止し、該回転体１６の回転による遠心力の作用で容易に水流が回転体１６内外周を上昇出来ようにしたものであり、又この水流阻止手段２３は、上方の送風筒６や多孔体１９にぶつかり微細化されなかった比較的大粒の水滴の受けることで、この水滴が直接貯水室８の水面に落下することで発生するバシャ、バシャと言う落下音をも阻止することが出来るものであり、そのために外周から中央部の挿通穴２４に向かって緩やかに下り傾斜しており、水滴を確実で自然なかたちで貯水室８に戻すことが出来るものである。
【００１５】
２６は回転体１６と多孔体１９の回転駆動により発生したナノミストと負イオンとを、送風機４の駆動で処理室７上部の吹出口２７から放出させる流通路で、この流通路２６は送風筒６と水流阻止手段２３との隙間から、処理室７と案内筒５、送風筒６間を上昇して吹出口２７に向かう流路から構成されている。
【００１６】
２８は貯水室８の底部に連通した排水管２９からの排水を受ける上面開放の排水トレイで、器具本体１内に出し入れ自在に備えられ、表面には手掛け部３０が形成され、運転を終了する毎に貯水室８内の残水の排出が行われるものであり、この排水トレイ２８の容積は貯水室８の残水は十分に収容出来る大きさとしているが、給水タンク９内の給水まで収容する容積まではなく、コンパクトにしているものであり、又この排水トレイ２８のほぼ中央部から立設したパイプ状の係止部３１に、常時バネ３２の力で上方に押し上げられ給水タンク９の定水位室１０へのセットで押し下げられる係止ロッド３３の下端が挿入されて係止することで、係止部３１と係止ロッド３３とで給水タンク９のセット時は排水トレイ２８をロックし、給水タンク９を器具本体１から抜き取ることでロックを解除するロック体３４が構成されるものであり、又この排水トレイ２８の上方開放と対向するカバー体１３の流水溝１５には、貯水室８を貫通した駆動軸１７部分からの水漏れで、流水溝１５に集められた漏れ水を排水トレイ２８内に案内する流出口３５が設けられている。
【００１７】
３６は排水管２９を開閉するネジ式の排水栓で、排水トレイ２８の出し入れの移動軌跡途中で該排水トレイ２８が器具本体１に収納されている時は、排水トレイ２８内に突出して備えられており、排水トレイ２８を半分位器具本体１から引き出した状態で、排水栓３６を取り外して排水管２９を開口し貯水室８の汚れた残水を排水トレイ２８に移して捨てた後に、再び排水トレイ２８を半分位器具本体１に収納してから排水栓３６を排水管２９に取り付けて、排水トレイ２８を最後まで押し込めば排水は終了するものであり、従って、この排水トレイ２８が上記のロック体３４でロックされた状態、即ち、給水タンク９が器具本体１にセットされている時には、排水トレイ２８は移動出来ないので、排水栓３６を勝手に操作することが出来ず、給水タンク９を抜かずに排水することで発生していた排水の溢れを確実に防止することが出来るものである。
【００１８】
３７は駆動軸１７が貫通した貯水室８とカバー体１３との間の該駆動軸１７途中に備えられた傘状の遮蔽板で、貯水室８から漏れた水が駆動軸１７部分を伝わって駆動モータ１２に内に侵入するのを防止すると共に、漏れた水を流水溝１５に案内するものである。
【００１９】
３８は給水タンク９の給水口キャップで、内装した弁機構（図示せず）を固定された支持部３９で押し上げられることで、落差式の定水位室１０を形成するものである。
４０は給水タンク９を出し入れするタンク蓋、４１は蓋体２を着脱するための持ち手である。
【００２０】
次にこの一実施形態を示す空気清浄加湿器の作動を説明する。
今運転スイッチ（図示せず）をＯＮすることで、加熱ヒータ２１がＯＮされ貯水室８内の一定水位の貯水を直接加熱するものであり、そして貯水室８内の貯水が所定温度ここでは４０℃に達したことを温度センサ２２が検知し、制御回路を介して加熱ヒータ２１の通電をＯＦＦすると共に駆動モータ１２を駆動開始させる。
【００２１】
この駆動モータ１２の駆動開始により駆動軸１７に同軸で固定された送風機４及び回転体１６が回転され、送風機４の回転では、吸引口３から吸引される室内空気を案内筒５を案内として吸引した後、処理室７下方に放出する。
【００２２】
一方回転体１６の回転では、所定温度に加熱された貯水室８内の貯水が、回転体１６下端の回転による遠心力で該回転体１６の外壁及び内壁を伝って押し上げられて上昇し、上端に形成された複数の飛散口１８から外周に向けて飛散され、そして外周に飛散された貯水は、回転体１６の上部外周に所定間隔を保持して位置し、該回転体１６と共に回転する多孔体１９の多孔部２０に、ぶつかって破砕したり、多孔部２０を通過したものはこの外周の送風筒６の内壁に衝突して微細化される。
【００２３】
この時、回転体１６の回転によって円形で抵抗がない貯水室８内の貯水が、該回転体１６と同方向に回転する水流を形成しようとするが、水流阻止手段２３の放射状の支持片２５の各先端部２５ａがそれぞれ水面に没して抵抗となり、回転する水流の形成が阻止されるので、遠心力が十分に作用して貯水が回転体１６の周壁上を押し上げられて、上記したように良好に破砕されるものである。
【００２４】
そしてこの加熱された貯水の破砕と微細化により、ナノミストを生成すると共に、レナード効果で負イオンを発生させ、そしてこの発生したナノミストと負イオンを上記した送風機４の処理室７下方へ向かう送風で一旦水流阻止手段２３にぶつけて、大きくて重いミストを水流阻止手段２３に落下させて除去した後、微細なナノミストのみと負イオンを、流通路２６を介して上部の吹出口２７から放出して室内の加湿を行うものである。
【００２５】
又この水流阻止手段２３は、上方の送風筒６や多孔体１９にぶつかり微細化されなかった比較的大粒の水滴の落下を受けることで、この水滴が直接貯水室８の水面に落下することで発生するバシャ、バシャと言う落下音をも阻止することが出来るものであり、しかもこの水流阻止手段２３は、外周から中央部の挿通穴２４に向かって緩やかに下り傾斜しているので、落下した水滴は挿通穴２４から確実に貯水室８に戻されるものであり、戻される時の音も静かで済むものである。
【００２６】
更にこの放出されるナノミストは、元々加熱された貯水から生成されているので、肌寒くなく温かいナノミストと負イオンの放出が得られ、直接肌で触れることができると共に冬季でも関係なく使用されるものであり、更に供給されるナノミストは、４０℃前後の高温でも低温でもない丁度良い中間温度であるから、カルキの析出や器具転倒による火傷の危険もなく、安全であり安心して使用されるものである。
【００２７】
又肺から吸引された負イオンは血液中に入り、その還元作用で血液の酸化を阻止し血液サラサラ状態とすると共に、その循環を良くし、末梢血管まで血液を行き渡らせることにより、痛みや懲りを緩和することが出来ると考えられている。
【００２８】
又負イオンにより、疲労回復効果、精神安定効果、血液の浄化効果、抵抗力の増進効果、自律神経調整効果等があり、更にナノミストによって、空気中の隅々まで行き渡り汚れた空気や細菌を抑制し、臭いまでも分解するもので、脱臭効果、除塵効果、除菌効果、勿論加湿効果があるものであり、この加湿はベトツキがないサラサラで潤いのある空気で、毛穴からの浸透でお肌と髪の潤いを保つ効果を有するものであり、これらの効果が得られる負イオンとナノミストを大量に放出されると言うことは、これらの効果も増大するものである。
【００２９】
次に貯水室８内の加熱された貯水が、回転体１６と多孔体１９によって次々とナノミストとして放出されて減少すると、貯水室８の水位が低下し、この低下した水位分の水が給水タンク９から自動的に補水されるものであり、そしてこの補水によって貯水温度が低下すれば、加熱ヒータ２１がＯＮされて貯水温度を常に所定温度に保温するものであり、常に肌に心地良い温度のナノミストを継続して供給出来るものである。
【００３０】
更に給水タンク９内の給水が空になった場合は、タンク蓋４０を開口して給水タンク９を器具本体１から取り出して、台所の蛇口から水道水を補給して元に戻せば、再び同じように使用出来るもので、極めて使用勝手が良いものである。
【００３１】
又ナノミストや負イオンを室内に放出する為に、送風機４の駆動で吸引口３から吸引される室内空気は、処理室７内で飛散した貯水と交わることにより、空気中の塵や雑菌が最終的には貯水内に混入するので、加湿運転の終了毎にこの貯水の残水を排水する必要があり、手掛け部３０を持って排水トレイ２８を半分位引き出そうとするが、該排水トレイ２８の係止部３１には給水タンク９がセット状態であるので、係止ロッド３３が挿入されてロック状態であり、排水トレイ２８を移動させることが出来ないので、排水栓３６の操作も出来ず安全である。
【００３２】
そこで先ず給水タンク９を器具本体１から抜き取ることで、係止ロッド３３がバネ３２の反発力で上方へ押し上げられて、排水トレイ２８の係止部３１から係止ロッド３３の下端が抜けてロック体３４のロックが解除されるので、排水トレイ２８を手掛け部３０を持って半分位引き出して置き、手を排水トレイ２８内に入れて排水栓３６を回して取り去ることにより、排水管２９が開口して貯水室８内の残水が排水トレイ２８内にに排水されるので、この残水が入った排水トレイ２８のみを持って流しに行き残水を捨てれば良いものであり、そして空の排水トレイ２８を器具本体１の収納部分に半分位収納した状態で、排水栓３６を元に戻して排水管２９を閉口した後、排水トレイ２８完全に収納してから給水タンク９をセットすれば排水作業は終了するものである。
【００３３】
このように給水タンク９を器具本体１から抜かないと排水栓３６の操作が出来ないようにしたことで、排水時には確実に給水タンク９が抜かれることとなり、排水トレイ２８内に給水タンク９の給水まで排水されることで起きる、排水の溢れにより床面を汚す不具合を防止出来、常に誤った操作をすることなく確実な排水作業を行うことが出来るものである。
【符号の説明】
【００３４】
１  器具本体
４  送風機
６  送風筒
７  処理室
８  貯水室
９  給水タンク
１２  駆動モータ
１６  回転体
１９  多孔体
２８  排水トレイ
３４  ロック体
３６  排水栓
【図１】
0005461330.tif 000002
【図２】
0005461330.tif 000003
【図３】
0005461330.tif 000004
【図４】
0005461330.tif 000005
【図５】
0005461330.tif 000006